(57)【要約】【課題】帯電バイアスと現像バイアスとの周波数差に起因する干渉縞を帯電バイアス及び現像バイアスとは切り離したかたちで低減する。【解決手段】電子写真方式の画像形成装置において、第１の周波数ｆ1の帯電用交流バイアスＴと第２の周波数ｆ2の現像用交流バイアスＧの生成開始タイミングを制御部によって規定すると共に、当該生成開始タイミングを補正画像生成部に通知することにより、補正画像生成部において生成開始タイミングに同期した縞状の補正画像を生成させ、当該補正画像を形成対象画像と合成することによって帯電用交流バイアスＴと現像用交流バイアスＧとの干渉に起因して形成画像に現れる干渉縞を低減する。【選択図】図２
2009086097.tif 000002
【特許請求の範囲】
【請求項１】
所定の感光体を帯電バイアスを用いて帯電させる帯電装置と、該帯電した前記感光体を露光画像に基づいて露光する露光装置と、当該露光によって得られた静電潜像を現像バイアスを用いてトナー像に現像する現像装置と、当該トナー像を所定の記録媒体に転写する転写部とを備えた電子写真方式の画像形成装置であって、
交流バイアス生成開始信号に同期して第１の周波数ｆ1の帯電用交流バイアスと第２の周波数ｆ2の現像用交流バイアスとを生成する交流バイアス発生回路と、
帯電用直流バイアスと現像用直流バイアスとを生成する直流バイアス生成回路と、
前記帯電用直流バイアスと前記帯電用交流バイアスとを合成して前記帯電バイアスを生成する帯電バイアス生成回路と、
前記現像用直流バイアスと前記現像用交流バイアスとを合成して前記現像バイアスを生成する現像バイアス生成回路と、
補正画像生成開始信号に基づいて前記帯電用交流バイアスと前記現像用交流バイアスとの周波数差に同期した縞状の補正画像を生成する補正画像生成部と、
前記補正画像と形成対象画像とを合成して前記露光画像を生成する露光画像生成部と、
前記交流バイアス生成開始信号を前記交流バイアス発生回路に出力すると共に、前記交流バイアス生成開始信号に同期した前記補正画像生成開始信号を前記補正画像生成部に出力する制御部と
を具備することを特徴とする画像形成装置。
【請求項２】
前記交流バイアス発生回路は、
基準周波数の基準クロックを発振する発振回路と、
前記基準クロック信号を分周して第１の周波数の帯電用クロックを生成する帯電用分周回路と、
前記帯電用クロックに基づいて帯電用交流バイアスを生成する帯電用交流バイアス生成回路と、
前記基準クロックを分周して第２の周波数の現像用クロックを生成する現像用分周回路と、
前記現像用クロックに基づいて現像用交流バイアスを生成する現像用交流バイアス生成回路とからなり、
前記交流バイアス生成開始信号は、基準クロックの分周開始タイミングを示す信号として帯電用分周回路及び現像用分周回路に入力される
ことを特徴とする請求項１記載の画像形成装置。
【請求項３】
帯電用分周回路及び現像用分周回路は、分周比を規定するカウンタを備えており、前記交流バイアス生成開始信号は、前記カウンタをリセットするリセット信号として帯電用分周回路及び現像用分周回路に入力されることを特徴とする請求項２記載の画像形成装置。
【請求項４】
前記交流バイアス発生回路は、
基準周波数の基準クロックを発振する発振回路と、
前記基準クロックを分周して第１の周波数の帯電用クロックを生成する帯電用分周回路と、
前記帯電用クロックに基づいて帯電用交流バイアスを生成する帯電用交流バイアス生成回路と、
前記基準クロックを分周して第２の周波数の現像用クロックを生成する現像用分周回路と、
前記現像クロックに基づいて現像用交流バイアスを生成する現像用交流バイアス生成回路とからなり、
前記交流バイアス生成開始信号は、基準クロックの発振開始タイミングを示す発振開始信号として発振回路に入力される
ことを特徴とする請求項１記載の画像形成装置。
【発明の詳細な説明】
【技術分野】
【０００１】
本発明は、電子写真方式の画像形成装置に関する。
【背景技術】
【０００２】
電子写真方式の画像形成装置は、周知のように、帯電装置によって帯電状態とされた感光ドラムの周面を書込み光で露光することにより感光ドラムの周面上に静電潜像を形成し、当該静電潜像をトナーで現像して得られたトナー像を用紙に転写することにより、当該用紙上にトナー像としての画像を形成するものである。
【０００３】
下記特許文献１には、このような電子写真方式の画像形成装置（電子写真装置）において、所定周波数（帯電バイアス周波数ｆｃ）の交流成分を含む帯電バイアスを用いて感光ドラムを帯電させると共に、上記帯電バイアスの周波数とは異なる周波数（現像バイアス周波数ｆｄ）の交流成分を含む現像バイアスを用いて感光ドラム上の静電潜像を現像するに際し、上記帯電バイアス周波数ｆｃと現像バイアス周波数ｆｄとの周波数差の干渉波によって画像上に生じる濃淡の縞が視覚的に目立たなくなるように、帯電バイアス周波数ｆｃ及び現像バイアス周波数ｆｄを最適設定する技術が開示されている。
また、下記特許文献２にも、上記濃淡の縞に相当する「すじむら」を軽減するために帯電バイアスの交流成分周波数と現像バイアスの交流成分周波数とを最適設定する技術が開示されている。
【特許文献１】特開平５−２８９４４５号公報
【特許文献２】特許第３４８６６０１号公報
【発明の開示】
【発明が解決しようとする課題】
【０００４】
ところで、上記各従来技術では、帯電バイアス周波数ｆｃと現像バイアス周波数ｆｄとの周波数差に起因する濃淡の縞や「すじむら」、つまり帯電バイアスの交流成分と現像バイアスの交流成分とが電気的に干渉することによって発生する干渉縞を軽減するために現像バイアスの交流成分周波数と帯電バイアスの交流成分周波数とを最適設定するが、帯電バイアスの交流成分周波数及び現像バイアスの交流成分周波数は、本来、感光ドラムの帯電特性や現像特性を最適化するために設定されるべきものである。したがって、上記各従来技術では、濃淡の縞や「すじむら」を軽減するために感光ドラムの帯電特性や現像特性をある程度犠牲にしなければならないという問題がある。
【０００５】
本発明は、上述した事情に鑑みたものであり、帯電バイアスと現像バイアスとの周波数差に起因する干渉縞を帯電バイアス及び現像バイアスとは切り離したかたちで低減することを目的とするものである。
【課題を解決するための手段】
【０００６】
上記目的を達成するために、本発明は、第１の解決手段として、所定の感光体を帯電バイアスを用いて帯電させる帯電装置と、該帯電した前記感光体を露光画像に基づいて露光する露光装置と、当該露光によって得られた静電潜像を現像バイアスを用いてトナー像に現像する現像装置と、当該トナー像を所定の記録媒体に転写する転写部とを備えた電子写真方式の画像形成装置であって、交流バイアス生成開始信号に同期して第１の周波数の帯電用交流バイアスと第２の周波数の現像用交流バイアスとを生成する交流バイアス発生回路と、帯電用直流バイアスと現像用直流バイアスとを生成する直流バイアス生成回路と、前記帯電用直流バイアスと前記帯電用交流バイアスとを合成して前記帯電バイアスを生成する帯電バイアス生成回路と、前記現像用直流バイアスと前記現像用交流バイアスとを合成して前記現像バイアスを生成する現像バイアス生成回路と、補正画像生成開始信号に基づいて前記帯電用交流バイアスと前記現像用交流バイアスとの周波数差に同期した縞状の補正画像を生成する補正画像生成部と、前記補正画像と形成対象画像とを合成して前記露光画像を生成する露光画像生成部と、前記交流バイアス生成開始信号を前記交流バイアス発生回路に出力すると共に、前記交流バイアス生成開始信号に同期した前記補正画像生成開始信号を前記補正画像生成部に出力する制御部とを具備する、という手段を採用する。
【０００７】
また、第２の解決手段として、上記第１の解決手段において、前記交流バイアス発生回路は、基準周波数の基準クロックを発振する発振回路と、前記基準クロック信号を分周して第１の周波数の帯電用クロックを生成する帯電用分周回路と、前記帯電用クロックに基づいて帯電用交流バイアスを生成する帯電用交流バイアス生成回路と、前記基準クロックを分周して第２の周波数の現像用クロックを生成する現像用分周回路と、前記現像用クロックに基づいて現像用交流バイアスを生成する現像用交流バイアス生成回路とからなり、前記交流バイアス生成開始信号は、基準クロックの分周開始タイミングを示す信号として帯電用分周回路及び現像用分周回路に入力される、という手段を採用する。
【０００８】
第３の解決手段として、上記第２の解決手段において、帯電用分周回路及び現像用分周回路は、分周比を規定するカウンタを備えており、前記交流バイアス生成開始信号は、前記カウンタをリセットするリセット信号として帯電用分周回路及び現像用分周回路に入力される、という手段を採用する。
【０００９】
第４の解決手段として、上記第１の解決手段において、前記交流バイアス発生回路は、基準周波数の基準クロックを発振する発振回路と、前記基準クロックを分周して第１の周波数の帯電用クロックを生成する帯電用分周回路と、前記帯電用クロックに基づいて帯電用交流バイアスを生成する帯電用交流バイアス生成回路と、前記基準クロックを分周して第２の周波数の現像用クロックを生成する現像用分周回路と、前記現像クロックに基づいて現像用交流バイアスを生成する現像用交流バイアス生成回路とからなり、前記交流バイアス生成開始信号は、基準クロックの発振開始タイミングを示す発振開始信号として発振回路に入力される、という手段を採用する。
【発明の効果】
【００１０】
本発明によれば、交流バイアス発生回路は、制御部から入力された交流バイアス生成開始信号に同期して第１の周波数の帯電用交流バイアスと第２の周波数の現像用交流バイアスとを生成し、一方、補正画像生成部は、同じく制御部から入力され上記交流バイアス生成開始信号に同期した補正画像生成開始信号に基づいて上記第１、第２の周波数の周波数差に同期した縞状画像の補正画像を生成し、このような補正画像を形成対象画像と合成して露光画像を生成する。
このような本発明によれば、補正画像は第１、第２の周波数の周波数差に起因する干渉縞に同期した縞状画像を示すものとなり、このような補正画像を形成対象画像と合成するので、上記干渉縞を第１、第２の周波数とは切り離したかたちで低減することができると共に、帯電用交流バイアスの周波数（第１の周波数ｆ1）及び現像用交流バイアスの周波数（第２の周波数ｆ2）の各々を本来の機能（帯電機能及び現像機能）のみを考慮して最適化することができる。
【発明を実施するための最良の形態】
【００１１】
以下、図面を参照して、本発明の一実施形態について説明する。
図１は、本実施形態に係る複写機Ａの要部構成を示すブロック図である。なお、本複写機Ａは、種々の方式の画像形成装置のうち電子写真方式を採用するものである。
【００１２】
本複写機Ａは、図示するように、画像読取部１、画像処理部２、操作部３、制御部４、補正画像生成部５、露光画像生成部６、露光装置７、交流バイアス発生回路８、直流バイアス発生回路９、帯電バイアス生成回路１０、現像バイアス生成回路１１、帯電装置１２、感光ドラム１３、現像装置１４、転写部１５及びクリーニング部１６を備えている。
【００１３】
画像読取部１は、ＡＤＦ（自動原稿送り装置）とラインセンサ等を備え、ＡＤＦによって順次給紙される原稿の画像（原稿画像）をラインセンサで読み取って画像処理部２に出力する。画像処理部２は、操作部３から入力された操作指示に基づいて上記画像読取部１から入力される原稿画像（光の三原色（Ｒ，Ｇ，Ｂ）のビットマップ画像）に所定の画像処理を施すと共に、当該画像処理後の原稿画像を画像形成用トナーの色（例えば黒（Ｋ）、シアン（ｃ）、マゼンダ（Ｍ）、イエロー（Ｙ））からなる画像形成用画像に画像変換して露光画像生成部６に出力する。
【００１４】
操作部３は、原稿画像の複写に関するユーザの各種操作指示を受け付けて制御部４に出力する。制御部４は、ＣＰＵ（Central Processing Unit）、ＲＯＭ（Read Only Memory）及びＲＡＭ（Random Access Memory）等からなり、ＣＰＵがＲＯＭに記憶された制御プログラムを実行することにより本複写機Ａの全体動作を制御する。例えば、制御部４は、複写開始の操作指示が操作部３から入力されると、当該操作指示に基づいて、補正画像生成部５に補正画像生成開始信号を、また交流バイアス発生回路８に分周開始信号（交流バイアス生成開始信号）を、また直流バイアス発生回路９に直流バイアス生成開始信号をそれぞれ出力することにより、補正画像生成部５、交流バイアス発生回路８及び直流バイアス発生回路９を同期制御する。このような同期制御は、本複写機Ａの特徴点であり、詳細については後述する。
【００１５】
補正画像生成部５は、上記生成開始信号に基づいて干渉縞を低減するような縞状画像を示す補正画像を生成して露光画像生成部６に出力する。露光画像生成部６は、複写対象画像として画像処理部２から入力された画像形成用画像を上記補正画像生成部５から入力された補正画像によって補正処理した画像を露光画像として生成して露光装置７に出力する。露光装置７は、上記露光画像生成部６から入力された露光画像に基づいて露光光（レーザ光）を生成し、この露光光を帯電装置１２によって帯電状態にされた感光ドラム１３表面に照射することによって静電潜像を形成（露光）する。
【００１６】
交流バイアス発生回路８は、図２に示すように、発振回路８ａ、帯電用分周回路８ｂ、現像用分周回路８ｃ、帯電用交流バイアス生成回路８ｄ及び現像用交流バイアス生成回路８ｅから構成されている。発振回路８ａは、基準周波数ｆＯの基準クロック信号Ｒを自励発振して帯電用分周回路８ｂ及び現像用分周回路８ｃに出力する。帯電用分周回路８ｂは、内部にカウンタを備えており、当該カウンタで基準クロック信号Ｒを第１のカウント値だけ繰り返しカウントすることにより基準クロック信号Ｒを第１の分周比で分周して第１の周波数ｆ1の帯電用クロック信号ＲＴを帯電用交流バイアス生成回路８ｄに出力する。
【００１７】
現像用分周回路８ｃは、上記帯電用分周回路８ｂと同様に内部にカウンタを備えており、当該カウンタで基準クロック信号Ｒを第２のカウント値だけ繰り返しカウントすることにより基準クロック信号Ｒを第２の分周比で分周して第２の周波数ｆ2の現像用クロック信号ＲＧを現像用交流バイアス生成回路８ｅに出力する。帯電用交流バイアス生成回路８ｄは、帯電用クロック信号ＲＴに基づいて上記第１の周波数ｆ1と同一周波数の帯電用交流バイアスＴを生成して帯電バイアス生成回路１０に出力する。一方、現像用交流バイアス生成回路８ｅは、現像用クロック信号ＲＧに基づいて上記第２の周波数ｆ2と同一周波数の現像用交流バイアスＧを生成して現像バイアス生成回路１１に出力する。
【００１８】
直流バイアス発生回路９は、帯電用直流バイアス及び現像用直流バイアスを生成し、帯電用直流バイアスを帯電バイアス生成回路１０に、また現像用直流バイアスを現像バイアス生成回路１１に、また転写用直流バイアスを生成して転写部１５にそれぞれ出力する。帯電バイアス生成回路１０は、上記帯電用交流バイアスＴと帯電用直流バイアスとを重畳（合成）することにより交流成分と直流成分とからなる帯電バイアスを生成して帯電装置１２に出力する。現像バイアス生成回路１１は、上記現像用交流バイアスＧと現像用直流バイアスとを重畳（合成）することにより交流成分と直流成分とからなる現像バイアスを生成して現像装置１４に出力する。
【００１９】
帯電装置１２は、感光ドラム１３に上記帯電バイアスを印加することにより感光ドラム１３の表面（周面）を全体として均一に帯電させる。なお、上記帯電用交流バイアスＴの振幅及び周波数（第１の周波数ｆ1）並びに帯電用直流バイアスの電圧は、予め設定された固定値であり、上述した干渉縞を考慮することなく、帯電装置１２における帯電性能を最適化するように各々の値が設定されている。感光ドラム１３は、回転自在に支持された円筒状部材であり、周知のように表面（周面）が所定の感光材で構成されている。
【００２０】
現像装置１４は、上記現像バイアスを用いて静電潜像が形成された感光ドラム１３の表面（周面）にトナー粉を電着させることによって静電潜像をトナー像として現像するものである。なお、上記現像用交流バイアスＧの振幅及び周波数（第２の周波数ｆ2）並びに現像用直流バイアスの電圧は、上記帯電用交流バイアスＴ及び帯電用直流バイアスと同様に予め設定された固定値であり、上述した干渉縞を考慮することなく、現像装置１４における現像性能を最適化するように各々の値が設定されている。
【００２１】
転写部１５は、転写ベルトや用紙等の記録媒体を搬送する搬送装置等から構成されており、感光ドラム１３の表面（周面）に表面に形成されたトナー像を直流バイアス発生回路９から入力された転写用直流バイアスを用いて記録媒体に転写させるものである。クリーニング部１６は、上記転写部１５による転写後に感光ドラム１３の表面（周面）に残留しているトナー粉を除去（清掃）するクリーニングブレードである。
【００２２】
次に、このように構成された本複写機Ａの動作について、図３をも参照して詳しく説明する。
【００２３】
本複写機Ａでは、ユーザが操作部３を操作することにより原稿の読み取り及び複写を指示すると、制御部４は、この操作指示に基づいて補正画像生成部５、交流バイアス発生回路８及び直流バイアス発生回路９を以下のように同期制御する。
【００２４】
すなわち、制御部４は、上記操作指示が操作部３から入力されると、生成開始信号を補正画像生成部５に、また分周開始信号を交流バイアス発生回路８に、また出力開始信号を直流バイアス発生回路９にそれぞれ出力する。制御部４は、これら３つの制御信号を一定のタイミング関係（例えば同一タイミング）で出力する。この結果、帯電用分周回路８ｂ及び現像用分周回路８ｃは、基準クロックＲの分周動作を開始し、補正画像生成部５は補正画像の生成を開始し、直流バイアス発生回路９は帯電用直流バイアス及び現像用直流バイアスの生成を開始する。
【００２５】
交流バイアス発生回路８の発振回路８ａは、本複写機Ａに電源が投入された段階で発振を開始して基準周波数ｆＯの基準クロックＲを帯電用分周回路８ｂ及び現像用分周回路８ｃに出力するが、帯電用分周回路８ｂ及び現像用分周回路８ｃは、制御部４から分周開始信号が入力されるまでは基準クロックＲの分周を行わず、よって分周開始信号が入力されるまでは第１の周波数ｆ1の帯電用クロックＲＴ及び第２の周波数ｆ2の現像用クロックＲＧを出力しない。
【００２６】
図３は、分周開始信号（リセット信号）、帯電用分周回路８ｂが出力する第１の周波数ｆ1の帯電用クロックＲＴ及び現像用分周回路８ｃが出力する第２の周波数ｆ2の現像用クロックＲＧのタイミング関係を示すタイミングチャートである。分周開始信号は、リセット信号として帯電用分周回路８ｂ及び現像用分周回路８ｃに入力され、帯電用分周回路８ｂ及び現像用分周回路８ｃの各々が備えているカウンタをリセットするので、帯電用分周回路８ｂ及び現像用分周回路８ｃは、分周開始信号（リセット信号）に同期して基準クロックＲの分周動作を開始し、第１の周波数ｆ1の帯電用クロックＲＴ及び第２の周波数ｆ2の現像用クロックＲＧの出力を開始する。
【００２７】
そして、このように分周開始信号に同期して生成された帯電用クロックＲＴが帯電用分周回路８ｂから入力されると、帯電用交流バイアス生成回路８ｄは、帯電用クロックＲＴに基づいて高電圧の帯電用交流バイアスＴを生成して帯電バイアス生成回路１０に出力し、この結果、帯電バイアス生成回路１０は、上記帯電用交流バイアスＴと帯電用直流バイアスとを重畳（合成）することにより帯電バイアスを生成して帯電装置１２に出力する。一方、現像用交流バイアス生成回路８ｅは、現像用クロックＲＧに基づいて高電圧の現像用交流バイアスＧを生成して現像バイアス生成回路１１に出力し、この結果、現像バイアス生成回路１１は、現像用交流バイアスＧと現像用直流バイアスとを重畳（合成）することにより現像バイアスを生成して現像装置１４に出力する。
【００２８】
このように生成された帯電バイアスは高電圧の帯電用交流バイアスＴを含み、一方、交流バイアスは高電圧の現像用交流バイアスＧを含むので、干渉して記録媒体上に形成される原稿画像に干渉縞を発生させるが、この干渉縞は、図３に示すように、高電圧の帯電用交流バイアスＴの元となる帯電用クロックＲＴ及び現像用交流バイアスＧの元となる現像用クロックＲＧに同期したものとなり、帯電用クロックＲＴと現像用クロックＲＧとが同位相となるときに（実線矢印で示すタイミング）最も強くなり、帯電用クロックＲＴと現像用クロックＲＧとが逆位相となるときに（破線矢印で示すタイミング）最も弱くなる。
【００２９】
すなわち、上記干渉縞は、図３に示すように分周開始信号に同期したものとなる。そして、補正画像生成部５は、制御部４から入力される補正画像生成開始信号、予め記憶されている帯電用クロックＲＴ及び現像用クロックＲＧの周波数（第１の周波数ｆ1及び第２の周波数ｆ2）に基づいて上記干渉縞と逆位相関係となる補正画像（縞状画像）を生成する。
【００３０】
制御部４から帯電用分周回路８ｂ及び現像用分周回路８ｃに入力される分周開始信号と同じく制御部４から補正画像生成部５に入力される補正画像生成開始信号とは時間関係が一定のタイミング関係（例えば同一タイミング）に設定されており、両者の時間関係は変動することなく固定化されているので、補正画像生成部５は、制御部４から入力される補正画像生成開始信号及び第１の周波数ｆ1及び第２の周波数ｆ2に基づいて干渉縞と逆位相関係となる補正画像（縞状画像）を生成することができる（図３参照）。
【００３１】
このようにして補正画像生成部５で生成された補正画像（縞状画像）は、露光画像生成部６において画像処理部２から入力された複写対象画像と合成される。この画像合成の結果生成された露光画像は、干渉縞を軽減させるように補正画像（縞状画像）によって複写対象画像を修正したものである。このような露光画像による露光光によって感光ドラム１３上に静電潜像を形成することによって、干渉縞の影響を帯電用交流バイアスＴの周波数（第１の周波数ｆ1）及び現像用交流バイアスＧの周波数（第２の周波数ｆ2）とは切り離したかたちで低減することができる。
【００３２】
したがって、本実施形態によれば、帯電用交流バイアスＴの周波数（第１の周波数ｆ1）及び現像用交流バイアスＧの周波数（第２の周波数ｆ2）の各々を本来の機能（帯電機能及び現像機能）のみを考慮して最適化しつつ、帯電用交流バイアスＴ及び現像用交流バイアスＧに起因して発生する干渉縞を効果的に低減することができる。
【００３３】
なお、本発明は、上記実施形態に限定されるものではなく、例えば以下の変形例が考えられる。
（１）上記実施形態では分周開始信号（交流バイアス生成開始信号）を帯電用分周回路８ｂ及び現像用分周回路８ｃ内のカウンタをリセットするリセット信号とし、このリセット信号て同期して帯電用クロックＲＴ及び現像用クロックＲＧの生成、つまり帯電用交流バイアスＴ及び現像用交流バイアスＧの生成を開始させるようにしたが、このような帯電用交流バイアスＴ及び現像用交流バイアスＧの生成開始制御に代えて、基準クロックＲの発振開始タイミングを制御する発振開始信号（交流バイアス生成開始信号）を制御部４から発振回路８ａに供給し、この発振開始信号に同期させて基準クロックＲの発振開始、つまり当該基準クロックＲに基づく帯電用交流バイアスＴ及び現像用交流バイアスＧの生成開始を制御するようにしても良い。
【００３４】
（２）本発明は、交流バイアス生成開始信号によって帯電用交流バイアス及び現像用交流バイアスの生成開始を規定することにより、帯電用交流バイアス及び現像用交流バイアスの周波数差に相当する干渉縞を打ち消す縞状画像を補正画像として生成するものである。したがって、本発明における交流バイアス発生回路は、交流バイアス生成開始信号に同期して帯電用交流バイアス及び現像用交流バイアスを生成する回路であれば、上記実施形態の交流バイアス発生回路８に限定されない。
【図面の簡単な説明】
【００３５】
【図１】本発明の一実施形態に係わる複写機Ａの要部構成を示すブロック図である。
【図２】本発明の一実施形態に係わる複写機Ａの高圧ＡＣバイアス発生回路８の詳細構成を示すブロック図である。
【図３】本発明の一実施形態に係わる複写機Ａにおける干渉縞の補正原理を示すタイミングチャートである。
【符号の説明】
【００３６】
Ａ…複写機、１…画像読取部、２…画像処理部、３…操作部、４…制御部、５…補正画像生成部、６…露光画像生成部、７…露光装置、８…交流バイアス発生回路、８ａ…発振回路、８ｂ…帯電用分周回路、８ｃ…現像用分周回路、８ｄ…帯電用交流バイアス生成回路、８ｅ…現像用交流バイアス生成回路、９…直流バイアス発生回路、１０…帯電バイアス生成回路、１１…現像バイアス生成回路、１２…帯電装置、１３…感光ドラム、１４…現像装置、１５…転写部、１６…クリーニング部
【図１】
2009086097.tif 000003
【図２】
2009086097.tif 000004
【図３】
2009086097.tif 000005